Podtech/llm-jp-corpus-v4-ja_patent huggingface dataset:
(57)【要約】【課題】  従来のベッドでは平面のため、重力が真下にしかかからない。【解決手段】  ベッドの体を乗せる部分を傾斜面にすることにより、従来とは違った方向にも重力が働くようにした。【選択図】図１
2010155006.tif 000002
【特許請求の範囲】
【請求項１】
傾斜のあるベッド
【発明の詳細な説明】
【技術分野】
【０００１】本発明は睡眠時に体の頭部方向および足元方向に多少の重力が働くことを図ったベッドに関する。
【発明が解決しようとする課題】
【０００２】本発明はベッドに寝た時に鼻詰まりの苦しみが悪化したり、または、寝相がしっくり定まらず、疲労がとれないという悩みを解決するものである。
【課題を解決するための手段】
【０００３】仰向けに寝ると鼻詰まりの苦しみが悪化するのには重力が関係している。
それと、寝相がしっくりくるかどうかも内臓や筋肉、骨にどういう方向に重力が働くかが関係している。本発明品は、従来のベッドに寝た時に体に関係する重力の方向を変えることに着目したものである。
【０００４】従来のベッドに寝た場合は真下にしか重力は働かない。
【０００５】本発明品は図１を見てわかる通り、ＢがＡより低い位置にあるため、図２のように、本発明品の上に寝た場合、重力は真下だけに働くのではなく、若干、ＡからＢの方向に働く。
仰向けに寝た場合、鼻詰まりの苦しみが悪化するのは、頭部が下半身と平行線の位置、もしくはそれよりも下に位置する時なので、図２のように寝れば、鼻詰まりの苦しみが悪化するのを緩和できる。
それとは逆に、風邪や花粉症などによる鼻詰まりの症状が出ていない時は図３のようにＡの方向に足を向け、Ｂの方向に頭頂部を向けた状態で寝れば、ＡからＢへ重力が働くことにより、体の内臓、筋肉、血などが頭頂部方面へひっぱられるのでリフレッシュ効果がもたらされ、疲労回復効果に繋がる。
【図面の簡単な説明】
【０００６】
【図１】  本発明品を真横から見た外観図
【図２】  本発明品の上に人が寝ているところを真横から見た外観図
【図３】  本発明品の上に図２とは体を逆向きにして寝た外観図
【図４】  本発明品を斜め上から見た外観図
【図１】
2010155006.tif 000003
【図２】
2010155006.tif 000004
【図３】
2010155006.tif 000005
【図４】
2010155006.tif 000006
(57)【要約】【課題】本発明は、うつ伏せで寝た場合でも楽に呼吸ができ、仰向けでも寝ることができるうつ伏せ、仰向け両用枕を提供する。【解決手段】枕に空間１を設ける。枕に空間２を設ける。以上よりなるうつ伏せ、仰向け両用枕である。【選択図】図１
2010155005.tif 000002
【特許請求の範囲】
【請求項１】
（イ）枕に空間１を設ける。
（ロ）枕に空間２を設ける。
以上の構成よりなるうつ伏せ、仰向け両用枕。
【発明の詳細な説明】
【技術分野】
【０００１】  この発明は、うつ伏せに寝た場合でも呼吸をしやすくするために空間を設けた枕に関するものである。
【背景技術】
【０００２】  従来は、うつ伏せで寝た場合、顔を枕の端にずらしていた。
また、一般的に顔を下に向けて寝る、ドーナツ型、馬の蹄型の枕が知られている。
【発明の開示】
【発明が解決しようとする課題】
【０００３】  そのために次のような問題点があった。
（イ）うつ伏せに寝ると、鼻が押さえつけられ鼻呼吸がしにくくなってしまう。
（ロ）うつぶせ寝で、顔の向きを変える場合、反対側の枕の端まで顔を移動しなくてはならない。
（ハ）一般的に知られているうつ伏せ用枕では、形状的に仰向けに寝た場合頭の左右の移動がしにくい。
（ニ）従来、うつ伏せに寝た状態で枕の上部に手を回すと、枕の角が邪魔になっていた。
本発明は、以上の問題点を解決するためになされたものである。
【課題を解決するための手段】
【０００４】  枕に空間１を設ける。
枕に空間２を設ける。
本発明は、以上の構成よりなるうつ伏せ、仰向け両用枕である。
【発明の効果】
【０００５】  うつ伏せで寝た場合でも、呼吸がしやすくなり、枕の上部に手を回すことにより安心感が得られ、顔の向きを変える場合でも、端による手間を省く事ができる。また、うつ伏せだけでなく、仰向けでも寝ることができる。
【発明を実施するための最良の形態】
【０００６】  以下、本発明の実施の形態を説明する。
（イ）枕に空間１を設ける。
（ロ）枕に空間２を設ける。
本発明は以上のような構造でこれを使用するときは、うつ伏せで寝る場合、空間２に腕をまわし、空間１から呼吸をすればよい。
【図面の簡単な説明】
【０００７】
【図１】本発明の平面図
【図２】本発明の使用状態を示す平面図
【図３】本発明の斜視図
【符号の説明】
【０００８】  １  空間
２  空間
【図１】
2010155005.tif 000003
【図２】
2010155005.tif 000004
【図３】
2010155005.tif 000005
(57)【要約】【課題】  現在日曜大工センターなど、一般の人で繁盛してる、町工場、及び鉄工場、建設現場等の物造りの人々が目や手の脂先に刺げや異物が刺さり悩む人が多くこの課題がある。【解決手段】  本発明装置、図１のスタンド式を2010155010.tif 000004に確認でき、本人が直接刺げを堀り抜くので、他人が針で抜くのでは痛みの恐怖があるが本人が直接抜くので痛みの調節ができ安心して刺げを抜き取る事ができる。また装置のセット内に目薬及び消毒液、ナンコー等の医薬品もセットに入れた。尚請求項２の鉄粉や異物が目に刺さった時、強い磁石（大きなスピーカーに付いていた磁石）で、私しと、鳥の目に近ずけ実験したが共に異常はありません。以上本発明のメリットは痛みに直早く解放され仕事に復帰できるので精心的、経済的にも大きい。【選択図】図１
2010155010.tif 000002
【特許請求の範囲】
【請求項１】
刺げ抜き装置の組合わせに、スタンド式を取り入れレンズ（拡大鏡）とＬＥＤ（電池式）投光器を調整自在の部材で組立て、刺げを引き抜く案内として強い磁石と縫い針及び先端の片側に矢じりにした針で刺げを引き抜く事を一体化した装置。
【請求項２】
鉄粉及び鉄の異物が目に刺った時強い磁石にテシユペーパーを磁石に覆い目に近づけて磁石に異物を吸い付ける。
【請求項３】
木及び竹、磁石に反応しない刺げが刺さつた場合、針の先端の片側に槍先端状の返しを入れ刺げを引掛て引き抜く（針を３〜６種類）セットする。
【発明の詳細な説明】
【技術分野】
【０００１】本発明は、自在に調整が出来る照明器拡大鏡、をスタンド化して、磁石と針及び矢じり付針に目薬等の医薬品をセットした、装置で、一体化したものである。
【背景技術】
【０００２】従来の刺げ抜きは、（例えば特許分類Ａ４５Ｄ２６／００Ａ〜Ｄ参照）したが、ピンセット等の研究された物等があるが、活気的な物が見当らない。
現実はピンセットで刺げを挟むのは、現実離れしていて、ピンセットの先端の方が大きく細い刺げは掴めない。
現況は縫い針などで掘り出しているのが現状である。
【発明の開示】
【発明が解決しようとする課題】
【０００３】以上述べた従来の方法では痛みと精心的な苦痛に堪えなければならないので痛みと、時間を素早く解決したかった。
【課題を解決するための手段】
【０００４】鉄の針の称な刺げが私しの脂先に刺さり試行錯誤のうえ、頭に浮かんだのが磁石であり、本発明の手段が試作出来た。
【発明の効果】
【０００５】痛みと、時間を直早く取り戻し仕事に専念出来る為経済的にも精心的にも大きなメリットがある。
【発明の実施するための最良の形態】
【０００６】私しの脂先に鉄の針の称な刺げが刺さり痛くて縫い針で２時間程格闘したが抜けず悩むこと頭に閃いたのが磁石であった実施したら、僅か１０秒程で解決した。
【図面の簡単な説明】
【０００７】
【図１】  本発明の実施形態を示すスタンド式装置。
【図２】  目に鉄粉及び刺げ錆びを磁石で引き抜く状況。
【図３】  縫い針及び矢じりの付いた針
【符号の説明】
【０００８】１．照明用（ＬＥＤ）投光器
２．拡大鏡（レンズ）
３．調整自在の部材
４．スタンドのベース
５．磁石
６．磁石に覆ったテシユペーパー
７．顔
８．目
2010155010.tif 000003
１０．矢じりの付いた針
【図１】
2010155010.tif 000005
【図２】
2010155010.tif 000006
【図３】
2010155010.tif 000007
(57)【要約】【課題】一般の蹄鉄が、馬の蹄、脚や血液循環に引き起こす損傷【解決手段】金属製の３つの部品から構成される蹄鉄を製造する。一つは、蹄鉄の前の部分の部品であり（１）、もう２つは、蹄鉄の枝分かれした部分の部品（２）（３）である。蹄鉄の前の部分の部品と蹄鉄の枝分かれした部分の部品との接合部に、Ｖ字型の切り込みをいれる。そして、溝の切り込みをいれ、固定するための穴をあける。それらの部品を、蹄鉄の上部のゴム（４）に貼付ける。ゴムのへりの外側の部分は、３つでっぱた部分があり、蹄鉄と蹄を一般的な方法で釘づけした後に、それらを蹄壁の部分に貼付ける。【選択図】図２
2010155036.tif 000002
【特許請求の範囲】
【請求項１】
この発明の目的は、馬に蹄の摩耗を遅らせる一方で、衝撃を吸収し、拡張する蹄鉄を供給することである。
そのために金属製の３つの部品から構成される蹄鉄を製造する。一つは、蹄鉄の前の部分の部品であり（１）、もう２つは、蹄鉄の枝分かれした部分の部品（２）（３）である。蹄鉄の前の部分の部品と蹄鉄の枝分かれした部分の部品との接合部に、Ｖ字型の切り込みをいれる。そして、蹄鉄の内側の上部のへりの部分も同様にする。そして、溝の切り込みをいれ、蹄鉄の前の部分に２つ、蹄鉄の枝分かれした部分に３つ固定するための穴をあける
それらの部品を、蹄鉄の上部のゴム（４）に貼付ける。ゴムのへりの外側の部分は、３つでっぱた部分があり、一つは、蹄鉄の前の部分であり、もう２つは、蹄鉄の枝分かれした部分である。
発明の本質的な特徴  前の部分と枝分かれした部分に分割された蹄鉄
【発明の詳細な説明】
【技術分野】
【０００１】馬用の装身具
【発明の概要】
【発明が解決しようとする課題】
【０００２】一般の蹄鉄が馬の蹄や脚、血液の循環系に害となる場合が多くある。（Ｈｉｌｒｔｕｄ  Ｓｔｒａｓｓｅｒ著ｌｉｆｅｔｉｍｅ  ｏｆ  ｓｏｕｎｄｎｅｓｓ  より引用）その害の中でも一番深刻なものは、蹄の中の血液循環と馬が踏み込んだ時の衝撃の吸収が損なわれることである。馬が円錐型の蹄壁を踏んだときに、蹄は拡張し、脚を上にあげた時には、収縮する。この拡張と収縮の動きは、ポンプのような役割をする。
馬が円錐型の蹄壁を踏んだとき、血液が蹄に入り、脚をあげることで、血液は酸素供給のために心臓に戻る。
蹄鉄は、蹄が収縮している時に、蹄に固定される。たとえ、蹄鉄の一部が固定されていなかったとしても、蹄が完全に拡張することはできない。そのため、血液を循環させる役割を十分に果たすことができない。したがって、脚の裏や蹄壁，蹄叉が貧弱になり、損傷を受けた部分が回復するまでに時間がかかり、白線は、傷み、時間が経つと伸びてしまう。
馬の蹄は、その堅固さと柔軟性で、９００ｋｇまでの衝撃を吸収することができる。しかしながら、一般の蹄鉄は、その蹄のもつ柔軟な吸収力の７５％を損なってしまう。その衝撃は、脚に伝わり、靭帯、腱や関節を傷めてしまう。
【課題を解決するための手段】
【０００３】馬に蹄の摩耗を遅らせる一方で、衝撃を吸収し、拡張する蹄鉄を使用することを提案する。そのためには、金属製の３つの部品から構成される蹄鉄を製造する。一つは、蹄鉄の前の部分の部品であり、もう２つは、蹄鉄の枝分かれした部分の部品である。それらは、蹄鉄の縦半分の部分（蹄鉄の前の部分と蹄鉄の枝分かれした部分）で分割されている。【０００４】蹄鉄の前の部分の部品と蹄鉄の枝分かれした部分の部品との接合部に、Ｖ字型の切り込みをいれ、小石などが閊えることがないようにする。そして、蹄鉄の内側の上部のへりの部分も同様にし、蹄の底と接触しないようにする。３つの部分のそれぞれに溝の切り込みをいれる。蹄鉄の前の部分に２つ、蹄鉄の枝分かれした部分に３つ固定するための穴をあける。
蹄壁の部分が大きくなってきた時に、安定が悪くならないために、固定部分の穴の中心から蹄鉄の内側のへりまでは、蹄鉄の外側のへりよりも数ミリ短くする。【０００５】３つの部品は、蹄と接触する蹄鉄の上部にあるゴムに貼付ける。ゴムの外側のふちからは、３つでっぱた部分がある。一つは、蹄鉄の前の部分の部品に、もう２つは、蹄鉄の枝分かれした部分の部品に一つずつ、蹄壁の部分に貼付ける。このゴムの役割は基本的に、３つのうちのどれかの部品が何らかの原因でゆるくなった場合に、蹄との境界線内において、この３つの部品を結合を保つことである。そのうえ、ゴムには、衝撃を緩和する効果がある。
【発明の効果】
【０００６】馬用の拡張性のある蹄鉄の利点は色々と考えられるが、そのなかでも一番の利点は、馬の蹄の成長と自然にもつ衝撃を吸収する拡張性を損なわずに、蹄鉄の中における固定のための穴の配置をより良いものにすることができることである。また、分割されている蹄鉄であるので、何らかの衝撃による微振動を最小限におさえることができる。さらには、蹄には良くない柔らかい地面を固い地面に変えることができるので、馬の生活の質を向上させることができ、また、馬が損傷を受けることを防ぐことができる。
【発明を実施するための最良の形態】
【０００７】最初に、地面の固い小さな牧場で、蹄鉄をしたことのない純血の二歳の競争馬を選ぶ。次に、馬の姿勢（立ち方）、何らかの傷みなどの徴候がないかなどを観察し、何も異常がないことを確認してから、蹄とその周りの状態を確認し、よい状態であれば、蹄壁をきれいにし、また、伸びた部分を切る。
その後、蹄が収縮したときのすべての蹄の輪郭を描きます。蹄の形にぴったり合わせて鋳造してできた鉄の拡張性ある蹄鉄を取り出す。そして、三角形の形に配置した３本のくいのある金属の板を使い（蹄鉄のかかと部を、より角度の狭いカーブに曲げるための鉄敷きの代用として）、固定するための道具で金属の板を固定し、蹄の輪郭の絵を確認しながら、先の溝のあるバールで、蹄鉄を曲げて、ぴったりになるまで調節して、形作る。そして、蹄鉄と蹄を一般的な方法で釘づけし、続いて、ゴムの外部のふちからでっぱた３つの部分を蹄壁の部分に貼付ける。
形、大きさ、配置は、変わる余地がある。しかしながら、発明の本質は変更しない。
【図面の簡単な説明】
【０００８】
【図１】蹄が収縮したときの蹄鉄を示した図
【図２】蹄が拡張したときの蹄鉄を示した図
【図３】ゴムとその外部のふちから３つでっぱた部分を示した図
【図４】蹄鉄の前の部分の部品と蹄鉄の枝分かれした部分の部品の接合部の詳細図
【符号の説明】
【０００９】１  蹄鉄の前の部分の部品
２  蹄鉄の右の部分の部品
３  蹄鉄の左の部分の部品
４  蹄鉄の上部のゴム
【図１】
2010155036.tif 000003
【図２】
2010155036.tif 000004
【図３】
2010155036.tif 000005
【図４】
2010155036.tif 000006
(57)【要約】【課題】  ゴルフコースのグリーン上でパッティングをする時、グリーンの傾斜にあわせて容易にアドレスが出来、自信を持って打てるようにするものである。【解決手段】  支持台１に指示棒２を回転できるように取り付け、指示棒２の先端にリング状の板３にリング状の板４を同じ長さの連結材５で等間隔に取り付け、紐６で吊るしたことを特徴とする。【選択図】図１
2010155040.tif 000002
【特許請求の範囲】
【請求項１】
支持台に回転できるように取り付けた支持棒の先端に、大きさの異なるリング状の板２枚を同じ長さの間隔材で等間隔に連結したものを吊り下げたことを特徴とするゴルフのパッティング練習具。
【発明の詳細な説明】
【技術分野】
【０００１】  本発明は、ゴルフのパッティング練習具に関する。
【背景技術】
【０００２】  従来、ゴルフのパッティング練習具は、ゴルフボールを人工芝の先に開けてある穴の中に入れるものであるとか、パタークラブに指示棒を取り付け、その先にゴルフボールを吊るした紐をとめて、そのボールを打つ練習をするものがある。
しかしながら、それらは、パッティングの感覚をつかむものである。【０００３】
【特許文献１】  特許公開平９−９９１２６
【特許文献２】  実用新案出願平７−１１２０１
【発明の開示】
【発明が解決しようとする課題】
【０００４】  上述の如く、従来技術に係る練習具は、ただ、ボールを打つ感触を練習するものであり、それらは、パッティングの型が毎回同じ形でアドレスが出来ているのかどうか確認できる練習具ではなかった。【０００５】  このため、ゴルフコースのグリーン上で、正しいパッティングの形でアドレスが出来ているかどうか自信がなくなり短い距離のパットが入らなくなってしまう。【０００６】  本発明は、このような点に鑑みて成されたものであり、その目的は、ゴルフコースのグリーン上でパッティングをする時、グリーンの傾斜にあわせて容易にアドレスが出来、自信を持って打てるようにするものである。
【課題を解決するための手段】
【０００７】  上述の目的を達成する本発明のパッティング練習具は、支持台に回転できるように取り付けた支持棒の先端に、大きさの異なるリング状の板２枚を同じ長さの間隔材で等間隔に連結したものを吊り下げたことを特徴とする。
【発明の効果】
【０００８】  以上説明したように本発明によれば、支持台に回転できるように取り付けた支持棒の先端に、大きさの異なるリング状の板２枚を同じ長さの間隔材で等間隔に連結したものを吊り下げてあり、これを使用せんとする時は右打ち（左打ち）の人は、左（右）足踵の線上に本発明を置き、左目（右目）で上のリングの中に下のリングが真ん中に来るようにアドレスをする。この時のアドレスの感覚を意識し練習することによって常に左目（右目）の真下にゴルフボールが来るようにアドレス出来るようになる。本発明を傾斜のついたグリーン上に置けばその傾斜に合ったアドレスをするには両足にかける体重のバランスをどのようにとれば良いのか自然に体感できる。本発明の指示棒は回転できるようになっており、一箇所に本発明を置いて指示棒を回転させるだけで周囲の傾斜に合ったアドレスを体感できる。
【発明を実施するための最良の形態】
【０００９】  以下、本発明の実施の形態を図面に基づき詳細に説明する。
【実施例】
【００１０】  図１〜図２は本発明の第１の実施の形態に係り、図１はその外観斜視図、図２は平面図である。【００１１】  図１、図２に示すように、本パッティング練習具は、支持台１に指示棒２を回転出来るように取り付け、指示棒２の先端にリング状の板３にリング状の板４を同じ長さの連結材５で等間隔に取り付け、紐６で吊るしたものである。リング状の板の大きさは同じものであっても効果は同じであるが、大きさの違うものを用いたほうが最適である。【００１２】  以上、本発明の実施の形態及び実施例を説明したが、本発明の範囲はこれに限定されるものではない。
【図面の簡単な説明】
【００１３】
【図１】  本発明の第１の実施の形態に係るパッティング練習具の外観斜視図である。
【図２】  図１のパッティング練習具の平面図である。
【符号の説明】
【００１４】１    パッティング練習具
２    指示台
３    指示棒
４    リング状の板
５    リング状の板
６    連結棒
７    紐
【図１】
2010155040.tif 000003
【図２】
2010155040.tif 000004
(57)【要約】【課題】認知症や生活機能低下者が麺類を食するときに使用して便利なる麺類食事用フォークを提供する。【解決手段】表面に突起を有するフォークの刃と、フォークの上面に覆い板を設け、ともに口に挿入する部分の片側を約４５度に角を落としたことを特徴とする。【選択図】図１
2010155039.tif 000002
【特許請求の範囲】
【請求項１】
フォークの刃の表面に、鋸歯状の突起を複数個設けたことを特徴とする麺類食事用のフォーク。
【請求項２】
フォークの刃の表面上部に、刃との間にほぼ平行な間隙をもたせた薄い覆い板を、フォークの柄に設けた請求事項１記載の麺類食事用のフォーク。
【請求項３】
フォークの先端側からはフォークの表面とは鈍角に、奥側からは表面と鋭角になる鋸歯状の突起を設けた請求項１または２記載の麺類食事用のフォーク。
【請求項４】
フォークの刃の先端を結ぶ線は、線の中央部から内側に約４５度となるよう刃の長さを定め、同様に覆い板も板幅の中央から約４５度角をおとした請求項１、２または３記載の麺類食事用のフォーク。
【発明の詳細な説明】
【技術分野】
【０００１】  この発明は、麺類を食べるときに便利なる食事器具のフォークに関する。
【背景技術】
【０００２】  従来より、食事用フォークは麺類を食べるときに，麺類が滑って落下しやすく、麺類を食べる便利なるフォークは現在のところ見当たらない。
【発明の開示】
【発明が解決しようとする課題】
【０００３】  従来のフォークは、麺類を食べるときに麺類が滑り落ちやすく、また時には大量の麺類をすくい取る。これには以下のような問題がある。
１．認知症や生活機能低下者の一部の人は、健常者と違い、口に運ぶ食物の量をコントロールできない。したがって、麺類が滑落してフォーク面に麺類がなくてもフォークを口に入れる。また大量の麺類をすくったときは、口に入らずにこぼしてしまう。
２、手先の不自由な人、子供、高齢者はフォークで麺類を食べるのは困難である。
本発明は、以上のような従来からのフォークで麺類を食べるさいにある問題を解決するために発明されたものである。
【課題を解決するための手段】
【０００４】  課題を解決する手段として本発明は、以下の構成とした。
すなわち、フォークの上面に鋸歯状の複数の突起を設け，フォークの上部に間隙をあけて角の落とした薄い覆い板を設け、水平方向に角度を設けた柄を取り付けた。本発明は以上の構成よりなる認知症や生活機能低下者のための麺類食事用フォークである。
【発明の効果】
【０００５】  本発明は下記の効果を有する。
１．麺類をすくったときに、麺類がフォークの面から滑り落ちるのを防止することができる。
２．麺類をすくったときに、フォーク面と覆い板の間隙により一定量の麺類をすくうことができる。
３．麺類をすくったときに、一定量以上の麺類は落下させることができる。
４．麺類をすくったときに、フォーク面と覆い板の間隙のスペーサにより、奥の狭い間隙に麺類が挟まるのを防止できる。
５．麺類を口に入れるときに、フォークと覆板先端部の形状と、柄の取り付け角度の相乗効果により麺類を口に入れやすい。
【発明を実施するための最良の形態】
【０００６】  以下、本発明の実施形態について説明する。
図において、１はフォークの刃で、本例では３本の刃で構成されている。その表面には複数の鋸歯上の突起２が刻まれている。突起２の傾斜角度はフォークの面に対して先端方向からは鈍角に、奥部からは鋭角になっている。またフォークの３本の刃のうち手前の１本の先端は、２本の刃の先端を結ぶ線にたいして、約４５度の位置になるよう長さを定める。したがってその先端は他の刃の先端よりも短い長さとなっている。
３は柄４と一体化された柄の先端の薄い覆板であり、柄４と平面方向に図のように角度を設けている。その形状はフォークの幅と同じで、長手方向はフォークの先端より１０ｍｍ程度引っ込んだ長さである。したがって３の覆い板の先端部も、板幅の中心部より約４５度角を落としてある。
５は１のフォークと３の覆板との間隙を確保するためのスペーサで、１のフォークと４の柄に固着されている。
以上の実施形態は、右利きの人を対象としたもので、左利きに対しては、フォークの刃及び覆い板と柄の取り付け角度は右利き用の逆方向となる。またフォークの先端及び覆い板の角の切除も右利きの反対側となる。
また、フォーク刃上面の突起の配列は、各刃同じパターンの配列でなく、刃相互間で千鳥に配列しても、同様の効果を得ることができる。なお、必要に応じて覆い板を省いて構成してもよい。【０００７】  以上、本発明について記したが、既述のようにフォークの刃の表面に角度がついた突起、及び３本の刃相互間に、千鳥上に配列された突起によりすくった麺類の滑落を防げる。また上部の覆い板の表面にすくわれた余分な麺類は、覆い板の表面が滑らかなので滑り落ちる。したがって一定量の麺類を口腔内に運ぶことが出来る。さらに、フォークで麺類を摂取する際、手首のひねりを加えて口腔内にフォークを運ぶが、フォークの先端を４５度に角を切り落としたこと、及びフォークの柄の取り付けを水平方向に角度をもたせたことにより、口腔内にフォークを入れ易くなる。
なお，既述の構成は実施の一例であり，近似の他の構成としてもよい。
以上のごとく、本発明により認知症や生活機能低下者、及び手の不自由な人が、麺類を食するときに使用して便利なる麺類食事用フォークを提供することができる。
【図面の簡単な説明】
【０００８】
【図１】  本発明の斜視図
【図２】  本発明の平面図
【図３】  本発明の底面図
【図４】  本発明の正面図
【図５】  本発明の背面図
【符号の説明】
【０００９】  １  フォークの刃
２  突起
３  覆い板
４  柄
５  スペーサ
【図１】
2010155039.tif 000003
【図２】
2010155039.tif 000004
【図３】
2010155039.tif 000005
【図４】
2010155039.tif 000006
【図５】
2010155039.tif 000007
(57)【要約】      （修正有）【課題】インフルエンザウイルス等の検体採取に用いる綿棒は、鼻腔等にどれくらい挿入したのか、挿入しすぎて鼻腔粘膜を損傷してしまう危険性がないか、挿入した長さが分かりやすい綿棒を提供する。【解決手段】棒２に先端からの距離を示す印を設ける。印は例えば、複数個所設けられた棒２を１周する線３、線４、線５、線６、線７である。目盛りは綿棒末端からの距離を示すものや、目盛りが線ではなく突起やへこみで認識できるもの、色の濃淡で距離を表すものでもよい。【選択図】図１
2010155038.tif 000002
【特許請求の範囲】
【請求項１】
綿棒の棒に先端からの距離を示す目盛りを設けたことを特徴とする綿棒。
【請求項２】
前記の目盛りは、綿棒を回転させた場合でも常に同じ目盛りが見えることを特徴とする請求項１記載の綿棒。
【発明の詳細な説明】
【技術分野】
【０００１】この発明は、鼻腔等からのウイルス等採取に用いる綿棒の形状に関する。
【背景技術】
【０００２】従来の鼻腔等からのウイルス採取等に用いる綿棒は、図２に示すように、ウイルス等を付着させるための綿棒先端部１に棒２が設けられたものである。
【発明の概要】
【発明が解決しようとする課題】
【０００３】しかしながら、以上の技術によれば、先端を腔に挿入した場合、どれくらい挿入したかどうか分かりにくく、粘膜等を障害することがあった。
そこで、この発明は、挿入した長さが分かりやすい綿棒を提供することを課題とする。
【課題を解決するための手段】
【０００４】以上の課題を解決するために、第一発明は、綿棒の棒に先端からの距離を示す目盛りを設けたことを特徴とする綿棒である。
また、第二発明は、綿棒を回転させた場合でも常に同じ目盛りが見えることを特徴とする綿棒である。
【発明の効果】
【０００５】第一発明、または第二発明によれば、綿棒に目盛りを設けたので、挿入距離が分かりやすい。
【発明を実施するための形態】
【０００６】この発明の一実施形態を、図１に示す。
綿棒は試料を吸着する本体１と、これに棒２が設けられている。この棒２には本体１側先端からの距離が表示されている。距離の表記の方法は細い線が１ｃｍを、太い線は５ｃｍを意味しており、先端からの距離は、３は細い線が２本で２ｃｍ、４は細い線が４本で４ｃｍ、５は太い線が１本と細い線が１本で６ｃｍ、６は太い線が１本と細い線が３本で８ｃｍ、７は太い線が２本で１０ｃｍを表している。この細い線と太い線は、どの方向から見ても先端からの距離を認識できるように、棒２を１周するように表示してある。図２には棒が回転した場合でも同一に見える形態を平面図として示す。
【０００７】「実施形態の効果」
この形態によれば、目盛り３、４，５，６，７の働きで、綿棒を挿入したときに、挿入した長さを確認できる。したがって、鼻腔に挿入する場合、鼻腔の大きさを考慮した挿入ができ、過挿入を防止できる。
【０００８】「他の実施形態」
図１の実施形態では目盛りは綿棒先端からの距離を示す線であったが、他の実施形態では、目盛りは綿棒末端からの距離を示すものや、目盛りが線ではなく突起やへこみで認識できるもの、色の濃淡で距離を表すものでもよい。
【図面の簡単な説明】
【０００９】
【図１】この発明の一実施形態を示す斜視図である。
【図２】従来技術を示す斜視図である。
【図３】この発明の一実施形態を示す平面図である。
【符号の説明】１  綿棒の綿
２  綿棒の棒
３  綿棒先端から２ｃｍを示す記号
４  綿棒先端から４ｃｍを示す記号
５  綿棒先端から６ｃｍを示す記号
６  綿棒先端から８ｃｍを示す記号
７  綿棒先端から１０ｃｍを示す記号
【図１】
2010155038.tif 000003
【図２】
2010155038.tif 000004
【図３】
2010155038.tif 000005
(57)【要約】【課題】従来のウォッシュタオルは片手では持ちにくく快適に使用出来ない部分があったため、簡単にヘチマ状に形を変えられて袋方式のため崩れず持ちやすく、又一瞬で長タオルにもなる一つ二役の洗い具を提供する。【解決手段】ウォッシュタオルを円筒状に縫製した両端２を袋状にすることで、どちら側からでも本体１をまとめられ、片手でも持ちやすくなり摘み７を利用することで、一瞬で長タオルに戻し使用できる。【選択図】図３
2010155064.tif 000002
【特許請求の範囲】
【請求項１】
長方形を円筒状にする縫製の仕方。
【請求項２】
両端口が袋状に形成される縫製の仕方。
【請求項３】
両端口に伸縮性を持たせる。
【発明の詳細な説明】
【技術分野】
【０００１】本発明は入浴時に背面以外も快適に洗えるようにウォッシュタオルを円筒状にし、両端口が袋状になるように中途部分を縫合し、その端口を利用して簡単にヘチマ状にまとめられ、片手でも持ちやすく使用できるようにしたものです。
【背景技術】
【０００２】従来は入浴洗い具で、長タオル状と、片手で持ちやすいヘチマ状の使い分けが簡単に出来る、一つ二役の洗い具がなかった。
【発明の概要】
【発明が解決しようとする課題】
【０００３】現在販売されているウォッシュタオルは長方形のもので、身体の背面を洗う場合は問題ないが、手や足など背面以外を洗う際タオルをまとめ束にして片手で使用したり、もう一方の手に持ち替えたりした時、束が崩れて持ち難く何度か束ね直したり、又、崩れて飛び出た部分に付着している泡が浴室の壁や浴槽に跳ね、泡の後始末の手間も掛かったりするなどの難点があった。
【課題を解決するための手段】
【０００４】タオル状の長辺を円筒状に縫合し両端口にゴム又は紐６を施し伸縮をもたせる。更にタオル両端の開口部から中心に１５センチ程進んだ円筒の上下を中央部分で縫合する際同時に、円筒の内側に摘み７を取り付ける。この縫合により袋の底辺となる部分５を施すことで、両端口２と５で袋部分が設けられる、その袋部分に本体１を丸めたり折り畳むなどして、図２の開口部２’と３と４は、そのままの状態で開口部２を引っ張り伸ばして反転させて折り畳まった本体をすっぽり袋状部分で包み込むと、図３の状態になり３と４は開口部２と２’の内側に位置するようになる。開口部のゴム又は紐６は包み込まれてる内側本体の飛び出し防止になるようにした。更に長タオルに形を変えたい時、反転させたことにより外側に露出した摘み７を持ちながら端口２の内側に位置する３か４を引くことで、一瞬で長タオルになるようにした。
【発明の効果】
【０００５】入浴時、ウォッシュタオル一本で簡単に、２通りの洗い具を使えれば長い形状で背中が洗え、背面以外を洗う際ヘチマ形状にして楽に持てるので、片手使いの時何度か束ね直したり、はみ出た部分の泡が浴室の壁や浴槽に飛び散るなどの不便さが解消される。
【図面の簡単な説明】
【０００６】
【図１】本発明の平面図である。
【図２】本発明の使用状態になる過程の斜視図である。
【図３】本発明の使用状態を示す斜視図である。
【発明を実施するための形態】
【０００７】以下、本発明の実施の形態について説明する。
（イ）．ウォッシュタオルを図１のように縦長の円筒状にし、両方の端口２にゴム又は紐６などを通し多少伸縮性をもたせる。
（ロ）．両端口から中心に１５センチ程の位置で上下の生地を中央部で縫合させる時に摘み７を円筒状の内側面に５の位置で同時に施す。
（ハ）．本体１を図２のようなヘチマ程の形に折り畳むなどして小さくまとめ、端口２を引き伸ばして、まとめた本体３と４を包み込むようにひっくり返すと図３の袋に入れたような形態になる。
【符号の説明】
【０００８】１  ウォッシュタオル本体
２  ゴム入り筒口折り返し側部分
２  ゴム入り筒口折り返さない側部分
３  本体１の折り畳み時に出来る部分
４  本体１の折り畳み時に出来る部分
５  袋状にするための縫い目
６  ゴム又は紐
７  長タオルにする時の摘み部分
【図１】
2010155064.tif 000003
【図２】
2010155064.tif 000004
【図３】
2010155064.tif 000005
(57)【要約】【課題】内容物が注ぎ易く、シャワー状にして内容物を注出できる薄肉容器を提案する。【解決手段】薄肉の胴体を備えた合成樹脂製の薄肉容器において、前記胴体１の頂部に、破断予定線Ｌに沿う引きちぎりよって開封可能な密閉栓２ｂを備えた注出頚部２を設ける。そして、該注出頚部２に、内壁の対向壁相互にわたってつながり、注出経路を複数に区分する縦リブ状の障壁４を設ける。【選択図】図１
2010155638.tif 000002
【特許請求の範囲】
【請求項１】
薄肉の胴体を備えた合成樹脂製の薄肉容器であって、
前記胴体の頂部に、破断予定線に沿う引きちぎりよって開封可能な密閉栓を備えた注出頚部を設け、
該注出頚部に、内壁の対向壁相互にわたってつながり、注出経路を複数に区分する縦リブ状の障壁を設けたことを特徴とする薄肉容器。
【請求項２】
前記障壁のうち少なくとも両サイドに位置する障壁は、注出頚部の基端から先端に向けて注出経路の幅を漸次に拡大した湾曲壁からなる、請求項１記載の薄肉容器。
【発明の詳細な説明】
【技術分野】
【０００１】
本発明は、合成樹脂製の薄肉容器に関するものであり、注出頚部の潰れを回避して注出作業の改善を図ろうとするものである。
【０００２】
シャンプーやリンス、液体石鹸、化粧料等を入れる容器の分野では、資源の有効活用、ゴミの減量化を図る観点から、とくに詰め替え容器として使用される容器としては、合成樹脂をブロー成形することによって所望の形状に形成した薄肉の容器が提案されている（例えば、特許文献１参照）。
【特許文献１】特開２００５−０６７６８０号公報
【０００３】
従来、この種の容器は、詰め替え容器として用いられるのが普通であり、注出部に予め設けられたノッチや破断予定線に沿って栓体を切断、分離することで容器を開封することを通例としているところ、該注出部も薄肉になっていることからその部位には腰がなく、内容物を詰め替えるに際しては注ぎにくい不具合があった。
【発明の開示】
【発明が解決しようとする課題】
【０００４】
本発明の課題は、内容物が注ぎ易い薄肉容器を提案するところにある。
【課題を解決するための手段】
【０００５】
本発明は、薄肉の胴体を備えた合成樹脂製の薄肉容器であって、
前記胴体の頂部に、破断予定線に沿う引きちぎりよって開封可能な密閉栓を備えた注出頚部を設け、該注出頚部に、内壁の対向壁相互にわたってつながり、注出経路を複数に区分する縦リブ状の障壁を設けたことを特徴とする薄肉容器である。
【０００６】
上記の構成になる薄肉容器において、少なくとも両サイドに位置する障壁は、注出頚部の基端から先端に向けて注出経路の幅を漸次に拡大する湾曲壁とするのが好ましい。
【発明の効果】
【０００７】
注出頚部の内壁に縦リブ状の障壁を設けることで該注出頚部の剛性が高まるため内容物が注ぎ易くなる。また、障壁により注出経路はスリットが形成された状態になるので、内容物をシャワー状の形態で排出することができる。
【発明を実施するための最良の形態】
【０００８】
以下、図面を参照して本発明をより具体的に説明する。
図１は本発明に従う合成樹脂製の薄肉容器の実施の形態を示した図であり、図２は密閉栓を引きちぎって容器を開封した状態の要部の外観斜視図である。
【０００９】
図における１は容器の胴体である。この胴体１は薄肉になっており、内容物の充填量が減るにしたがって減容可能になっている。
【００１０】
また、２は胴体１の頂部に設けられた薄肉の注出頚部である。注出頚部２は容器の胴体１と一体的に成形され、胴体１に直接つながる筒状の本体部分２ａと、破断予定線Ｌを介して引きちぎり可能につながる密閉栓２ｂから構成されている。
【００１１】
３は密閉栓２ｂの天面に設けられた溶着部である。この溶着部３は、内容物を容器の胴部１に充填する充填口を形成するものであり、内容物の充填後に熱や接着剤を利用して密着される。この溶着部３は、薄い板状部材になっていて、密閉栓２ｂを引きちぎる際の摘みとして使用することができる。
【００１２】
４は注出頚部２の内壁の対向壁相互間にわたって設けられた縦リブ状の障壁である。この障壁４は間隔をおいて複数枚設けられており、この障壁４によって注出経路をスリット状の開口としている。
【００１３】
注出頚部２の経路内に設けられた障壁４は該注出頚部２の補強材として機能するため注出頚部２そのものの剛性を高めることとなり簡単に変形するのが避けられ内容物を注出する際に注ぎ易くなる。
【００１４】
また、内容物は障壁４の間に形成される隙間を通して注出されるためにシャワー状となって注出される。
【００１５】
図３は注出頚部２の本体部分２の断面を示した図である。障壁４のうち、少なくとも両サイドに位置する障壁を注出頚部２の基端から先端に向け内壁側に湾曲させた湾曲壁とすることにより注出経路の幅が漸次に拡大されることとなり、注出にかかる内容物は放射状（扇形状）に排出することができる。
【００１６】
障壁４は、注出頚部２の外周壁にプレス加工を施すことにより一体的に形成することができ、この場合には、本体部分２ａの外周壁には、障壁４の数だけ凹所が設けられることになる。
【００１７】
また、図示はしないが障壁４の内壁の一方に凸部を設け、対向するもう一方に凹部を設け、凹部に凸部を嵌合させて形成することも可能であり、この場合は、指等で押し潰して凸部と凹部を嵌合させてシャワー状に注出することができる。障壁４を形成するための方法についてはとくに限定はされない。上掲図３においては障壁４を断面で表示したが、プレス加工を施して成形される場合にはその内部は空洞部分が形成される。
【００１８】
本発明にしたがう薄肉容器は、ブロー成形により全て一体成形できる単一部材からなっているので、効率的な製造が行えるとともに材料の使用量を減らすのにとりわけ有利である。なお、容器の成形法は射出成形法や従来知られている成形法が適用可能であり、ブロー成形のみに限定されることはない。
【００１９】
内容物を充填する充填口は、密閉栓２ｂの天面に設けた場合について図示したが、胴体１と注出頚部２の間（肩部）や底部に設けることもできる。
【００２０】
また、障壁４の形状については実施例のものには限定されることはなく、例えば、斜め状に形成されたリブ等を適用することも可能であり、このような斜め状に形成されたリブ等によれば内容物の注出方向を適宜変更するのに有利となる。
【産業上の利用可能性】
【００２１】
内容物が注ぎ易く、シャワー状にして内容物を注出することが可能な薄肉容器が提供できる。
【図面の簡単な説明】
【００２２】
【図１】本発明にしたがう薄肉容器の実施の形態を示した図である。
【図２】図１に示した容器の開封状態を示した要部外観図である。
【図３】注出頚部の本体部分の断面を示した図である。
【符号の説明】
【００２３】
１      胴体
２      注出頚部
２ａ    本体部分
２ｂ    密閉栓
３      溶着部
４      障壁
Ｌ      破断予定線
【図１】
2010155638.tif 000003
【図２】
2010155638.tif 000004
【図３】
2010155638.tif 000005
(57)【要約】【課題】    ふた部（２）とシール部（３）を複合することにより、幼児から老人まで安心して持ち運びでき、衛生的でかつ安全に使用できる容器を提供する。【解決手段】カップ部（１）とふた部（２）を複合したシール部（３）とよりなる容器において、カップ部（１）の側面に固着するシール部（３）を設けたことを特徴とする。【選択図】図３
2010155653.tif 000002
【特許請求の範囲】
【請求項１】
カップ部（１）とふた部（２）とよりなる容器において、ふた部（２）の一端を長くとり、その先端にシール部（３）を設けた、ふた止めシール付容器。
【発明の詳細な説明】
【発明の詳細な説明】
【技術分野】
【０００１】この発明は、容器内の内容物を外気と遮断し、ほこり・ゴミから守り、こぼれ止めまたは熱湯によるやけど防止を目的とした、ふた止めシール付容器に関するものである。
【背景技術】
【０００２】従来よりふた付容器は、ガラス・金属又は合成樹脂等で形成されたものがあったが、ふたをめくると開いたままで外部からの混入物の恐れや、熱湯を入れても冷めやすく、又老人や幼児等が誤って転倒させて、内容物をこぼしやすい。持ち運ぶときも水平にしなければ内容物がこぼれるという不都合があった。
【発明が解決しようとする課題】
【０００３】これは次のような欠点があった。
ふた部（２）は、開封後めくれたままで、虫・ほこり等の外部からの混入物の恐れやまたこぼれやすく、熱湯によるやけどの原因でもあり、煩わしかった。本発明は、これらの欠点を除いて、いつでもどこでも手軽に利用できる興味ある容器を開発しようとするものである。
【課題を解決するための手段】
【０００４】カップ部（１）とふた部（２）とよりなる容器において、ふた部（２）の一端を長くとり、その先端にシール部（３）を設け、固着する手段を講じたものである。
【発明実施の形態】
【０００５】以下本発明の実施の形態を説明する。
ふた部（２）の突端に複合させたシール部（３）を設け、開封後にはくり紙をとり、シールをカップ部（１）の側面に固着する。本発明は以上のような構成で、これを使用するとき容易にふたを密閉することができ、そして内容物と外気を遮断することができる。又容器は、四角・どんぶり型等さまざまな形状があり、それによってシール部（３）は、単・複数取り付けることも可能である。
【発明の効果】
したがって、ふた部（２）とシール部（３）とを複合することにより、従来の機能と機密性を保ち、衛生的でかつ安全に日常使用することができる興味深い容器である。
【図面の簡単な説明】
【図１】  本発明の正面斜視図である。
【図２】  本発明の側面図である。
【図３】  本発明の構造、拡大斜視図である。
【符号の説明】  １    カップ部
２    ふた部
３    シール部
４    粘着テープ
５    はくり紙
【図１】
2010155653.tif 000003
【図２】
2010155653.tif 000004
【図３】
2010155653.tif 000005
(57)【要約】【課題】  インターネットを利用して、郵便料金受取人払のシステムを少ない経費で、かつ、不特定多数の差出人にも対応できるようにする。郵便事業以外の物品輸送業界においても受取人払のシステムを展開していくことを課題にしている。  【解決手段】インターネットのホームページで郵便料金受取人払の表示書面を掲載し、差出人がアクセス、印刷、郵送物品に添付発送することで解決することができる。【選択図】図１
2010003318.tif 000002
【特許請求の範囲】
【請求項１】
郵便事業所の承認を受け、所定の表示をした郵便料金受取人払の書面（以下、表示書面）をインターネットのホームページに掲載し、差出人は表示書面を印刷して郵便物に貼付し指定の受取人に郵送することができる。表示書面を含む一切のシステムは、現行の郵便事業所の郵便料金受取人払と併用できる。
【請求項２】
差出人の個人情報と郵便物情報を入力後、表示書面を印刷し、入力された差出人の個人情報と郵便物情報はホームページの運営管理者が取得することができる。差出人は当該データを保管することができる。
【請求項３】
請求項2の個人情報と郵便物情報の記入項目は、表示書面に追加印刷をすることができる。差出人が表示したい記入項目をチェックすると、設定されているフォーマットに従い、自動的に表示書面に印刷される。
【請求項４】
受取人は、ホームページの運営管理者が取得した個人情報と郵便物情報で受取人に届いた郵便物を照合することができる。
【請求項５】
請求項1から請求項4は郵便事業のほか、物品輸送業で展開できる。
【発明の詳細な説明】
【技術分野】
【０００１】
本発明は、現行の郵便料金受取人払と同時併行して、インターネット上でも運用可能なシステムをつくる。
【背景技術】
【０００２】
現在、日本郵便の郵便料金受取人払は郵便事業所と決定した表示書面を付された返信用の手段を差出人に提供することでおこなうことができる。提供を受けることのできない差出希望者は自費または煩雑な手段を利用しなければならない。
【０００３】
この改善策として、現行の郵便料金受取人支払の所定の表示を受けた書面をインターネットのホームページに掲載することで郵便返信用の手段がない人も、郵便料金受取人払と同じサービスを利用することができる。
【発明の開示】
【発明が解決しようとする課題】
【０００４】
現行の郵便料金受取人払は郵便返信用の手段（封筒、葉書等）が必要であるため、対象者が限定されるが、郵便返信用の手段をインターネットに委ねるため、対象者を限定することなく、不特定多数を対象にすることができる。
【課題を解決するための手段】
【０００５】
現行の日本郵便の郵便料金受取人払のシステムは、郵便事業所の承認を受け、所定の表示書面の内容の決定後に、表示書面を封筒、葉書等に印刷して該当の差出人に配布する。一方では、インターネットのホームページに前記表示書面と同じ内容を掲載する。利用者である差出人は端末プリンターで印刷出力し、封筒に貼付したり、断裁して葉書としてそのまま差し出すことができる。
【０００６】
差出人のある一定の個人情報を入力させて印刷出力を可能にすることができる。この個人情報はホームページの運営管理者が取得することができる。また、印刷出力を個人情報の入力を条件にしなくてもよい。
【発明の効果】
【０００７】
不特定多数の差出人を対象にすることができるため、(1)就職活動における履歴書送付(2)商店やデパートのイベントの参加(3)顧客から業者に対しての注文書(4)クレーム品の返品等がある。差出人と受取人の力関係が差出人優位である時、差出人の環境が不特定多数に近い状況にある時に効果を発揮する。
【発明を実施するための最良の形態】
【０００８】
郵便事業者の承認を受け、決定した郵便料金受取人払の表示書面原稿を封筒、葉書、小荷物等の用途に区別してインターネットのホームページに掲載する。プリンターで印刷出力した後の断裁を考慮し、断裁見当印を付けておくことで、封筒や小荷物等に貼付しやすくなる。葉書は断裁したまま差し出すことができる。
【０００９】
郵便料金受取人払で郵便物を送付しようとする差出人は、インターネットのホームページに掲載されている表示書面にアクセスする。
【００１０】
郵便物の種類に応じた表示書面を選択し、個人情報と郵便物情報を入力し、表示書面を印刷することができる。また、一切の個人情報と郵便物情報を入力することなく表示書面を印刷することもできる。
【００１１】
入力された個人情報と郵便物情報は当該ホームページの運営管理者のデータベースに保管される。また、差出人も同じデータを保管することができる。
【００１２】
個人情報と郵便物情報の記入の各項目には、絶対的、相対的記入義務項目がある。また、全項目は、表示書面に印刷することができ、項目ごとにチェック欄があり、チェックすると表示書面に印刷される。なお、表示フォーマットは予めプログラムされていて、差出人はチェックするだけでよい。
【実施例１】
【００１３】
図1は、インターネットで郵便料金受取人払を展開した時の流れである。
【産業上の利用可能性】
【００１４】
郵便事業に関係なく、物品輸送事業において利用できる。
【図面の簡単な説明】
【００１５】
【図１】構成図である。
【符号の説明】
【００１６】
1.      
受取人
2.      
差出人
3.      
ホームページの運営管理者
4.      
郵便事業者
5.      
郵便料金受取人払の表示書面を掲載したホームページ
6.      
表示書面の原稿打合せと決済データ（郵便明細）の引き渡し
7.      
業務委託
8.      
ホームページの運営管理
9.      
ホームページにアクセス
10.    個人情報、郵便物情報の提供
11.    個人情報、郵便物情報の取得
12.    個人情報、郵便物情報の提供
13.    表示書面を印刷、貼付、郵便発送
14.    郵便料金の決済
【図１】
2010003318.tif 000003
(57)【要約】      （修正有）【課題】水平平面上の磁石の安定性及び垂直軸の位置固定の制御が簡単に行えるようにする。【解決手段】極の対面方向では無く横並び側面方向を基本とした位置関係の反発力を利用する様にしたのである。引力関係になろうとする動きを僅かの力で制御することが可能となる。また、電磁石の引力が中心に引きつける構造のため磁石の反発力に勾配を持たせているため、電磁石が引けば引くほど、磁石は中心に向かう力が増えるため、反発するにも拘わらずね中心へと安定的に留まることになるのである。また、水平状態が対称に反発力がかかるため水平からの変動を押さえ込む働きがあるのである。【選択図】図１
2010003997.tif 000002
【特許請求の範囲】
【請求項１】
複数個の永久磁石の斥力及び電磁石の引力を利用した下から上部に空中浮揚させるための装置。
【請求項２】
Ｓ−Ｓ、Ｎ−Ｎの極の対面の反発力を使用せず、側面方向の反発を基本とした構造であることで垂直水平相対角度４５度付近で若干の位置ずれによる斥力の傾斜を利用するものである。
【請求項３】
水平面上に同心円上もしくは楕円上に磁石を配置し中心に斥力の一部が向くようにしたものである。磁石の増減により、反発の間隔を考慮して任意に同心円の大きさ決めることができる。究極として同心円上配置と等価なリング状の磁石でも可能であることは容易に推測出来ることである。
【請求項４】
浮揚させるものの位置の検出にホール素子、磁気抵抗素子、光素子等を使用しない方法である。Ｌ（インダクタンス）の変化を利用した位置検出を特徴とするものである。
【請求項５】
制御装置にオペアンプを使った線形サーボ回路を含んでいることを要件としたものである。
【発明の詳細な説明】
【技術分野】
【０００１】  この発明は、磁気浮揚に関するものである。
【特許文献１】特開１９９６−５７１５７号公報
【背景技術】
【０００２】  従来の磁気浮揚は上部からの電磁石と検出回路による吊すタイプの構造であった。また、永久磁石だけの上部浮揚は宇宙ゴマ玩具として存在はしている。しかし、持続的、電気的制御による物は知る限りでは存在を確認されては居ない。
【発明の開示】
【発明が解決しようとする課題】
【０００３】安定的に空中浮揚を上部に起こさせるため、磁石の斥力を利用することを特徴したものである。磁石の引力、斥力の制御は非常に難しく、アーン・ショーの定理では安定点はなく永久磁石のみでは安定持続的な空中浮揚はできないとされている。【０００４】  そこで、斥力が働く位置関係で有効なものを見つけ比較的簡単な構造を考え出したものである。磁石のＳＮの対極による反発力を避けて側面同士の反発を利用したことによりＳＮ吸着が起こりにくくなり、また位置制御の弱い吸引力でも容易に制御可能となっているのである。【０００５】  また、第二発明は、一般的な磁気検知素子であるホール素子、磁気抵抗素子などや光、レーザーなどの位置検出手段を使用しないところである。コイルの見掛け上のインダクタンス変位を位置検出に利用したものである。
【発明の効果】
【０００６】  第一発明、または第二発明によれば、空中浮揚が超伝導浮揚と同じ様に上部に浮く状態を作り出すことが可能となった。斥力が水平平面上では電磁石のある中心方向と垂直上方に働くため、水平の安定と中心位置の確保が容易となっているのである。
【発明を実施するための最良の形態】
【０００７】  安定性の観点から浮揚側には５個の磁石で構成し、浮揚制御させる側は４個の磁石と１個の電磁石で構成されている。飽くまで実施のためのものであり磁石の増減は可能であり、斥力の位置関係が本質的な部分である。磁石の数を増減させた結果は、確かに個数が多い程、安定化し、大きさも必然的に大きくすることは出来る。今回の構成は最小の構成として最良と考えられる。【０００８】「実施形態の効果」
この実施形態によれば、ＸＹ（水平）平面上の磁石の安定性及びＺ（垂直）軸の位置固定が制御が比較的簡単に行える。その結果、制御回路は制御部分のフィードバック回路はたった１個のオペアンプで構成されている。【０００９】「他の実施形態」
磁石の数を変えて実施した結果、斥力の磁石位置を確保しながら相対的に中心から離す構造が可能であり、究極の形態としてリング上一体の磁石構成も容易に推測可能である。
【産業上の利用可能性】
【００１０】  空中浮揚は接触するところが無く摩擦や抵抗などを無くすことができるため、摩耗劣化、振動等の削減や浮遊移動などの応用が可能な分野で効果を期待することができる。また、下部に吊す従来のタイプでは出来なかったものが、全ての向きで可能となるため、その利用可能性は格段に飛躍するものである。【００１１】  空中浮揚はマジックなどに使われているが通常紐などで支持するもので、本当に浮いている訳ではない。しかし、これを使えば、電気磁気的に浮く現象を本当に起こすことができるのである。【００１２】  教材用の実験装置もしくは、玩具、インテリア、装飾展示物などの応用として、通常では起こりえない不思議さを味わうことができるものである。
【図面の簡単な説明】
【００１３】
【図１】この発明の一実施形態を示す斜視図である。
【図２】この発明の一実施形態を示す上面図である。
【図３】この発明の一実施形態を示す側面図である。
【符号の説明】
【００１４】１ａ〜１ｄ  斥力用磁石（浮遊側）
１ｅ  引力用磁石
２ａ  位置検出用コイル（浮遊側）
２ｂ  位置検出用コイル（制御側）
３ａ〜３ｄ  斥力用磁石（制御側）
４    引力制御用電磁石（制御側）
＊永久磁石の極性は円筒の平面側をＳＮとするものである。
【図１】
2010003997.tif 000003
【図２】
2010003997.tif 000004
【図３】
2010003997.tif 000005